(57)【要約】【課題】  ネットワーク資源の選定を容易にし、契約までの時間を短縮し、セラーの販売コストを削減し、契約成立から回線利用までのプロビジョニング期間を大幅に短縮し、ネットワーク資源の利用効率を大幅に向上させる。【解決手段】  ネットワーク資源同士を接続する接続ポイントを用意し、バイヤーが、売りたいネットワーク資源の商材や提供区間や売値等の情報を、セラーが、買いたいネットワーク資源の商材や提供区間や買値等の情報を、それぞれが登録できる仲介市場装置を設け、双方の条件が一致した場合に、それぞれがネットワーク資源の取引前に、あらかじめネットワーク資源をＲＸへ接続しておくことによって、多数のネットワーク資源提供事業者間との交渉期間が短縮でき、取引成立後の事前工事期間も短縮できる。【選択図】  図１
2005293062.tif 000002
【特許請求の範囲】
【請求項１】
セラーのネットワーク資源同士を接続または切断する接断手段と、
この接断手段を遠隔制御する遠隔制御手段と、
前記セラーが販売を所望するネットワーク資源に関する情報およびバイヤーが購入を所望するネットワーク資源の情報をそれぞれ登録する仲介情報データベースと、
この仲介情報データベースを参照し前記セラーの販売条件と前記バイヤーの購入条件とが一致する案件を検索する手段と
を備え、
前記遠隔制御手段は、前記検索する手段の検索結果に基づき前記セラーと前記バイヤーとの間で前記条件が一致した案件情報に基づき該当するネットワーク資源同士を前記接断手段により接続または切断する手段を備えた
ことを特徴とするネットワーク資源仲介装置。
【請求項２】
前記セラーまたは前記バイヤーの認証を行なう手段を備えた請求項１記載のネットワーク資源仲介装置。
【請求項３】
前記セラーまたは前記バイヤーにネットワーク資源情報を提供するＷＥＢサーバを備えた請求項１または２記載のネットワーク資源仲介装置。
【請求項４】
前記セラーの提供するネットワーク資源と前記バイヤーとの間に前記接断手段が設けられた請求項１記載のネットワーク資源仲介装置。
【請求項５】
前記セラーの提供する一つのネットワーク資源と前記バイヤーとの間に前記接断手段が設けられ、
前記遠隔制御手段は、前記接断手段により、前記セラーと前記バイヤーとの間の前記条件に基づき前記一つのネットワーク資源を時分割的に複数の前記バイヤーに接続または切断する手段を備えた
請求項１記載のネットワーク資源仲介装置。
【請求項６】
前記ＷＥＢサーバは、前記セラーの提供する一つのネットワーク資源に対する共同利用の可否情報を前記バイヤーに提供する手段を備え、
前記仲介情報データベースは、前記バイヤーからの前記一つのネットワーク資源に対する共同利用の要求を登録する手段を備え、
当該要求に応じて一つの前記バイヤーに対する前記一つのネットワーク資源の共同利用時の利用料を設定する手段を備えた
請求項１記載のネットワーク資源仲介装置。
【請求項７】
前記仲介情報データベースに登録された前記セラーの提供するネットワーク資源をその構成要素毎に分類してこの構成要素毎にそれぞれ利用料を設定する手段と、
前記バイヤーの所望するネットワーク資源の利用料の指値情報を取得しこの指値情報に見合った利用料となるように前記構成要素を組み合わせる手段と
を備えた請求項１記載のネットワーク資源仲介装置。
【請求項８】
前記セラーの提供する未使用ネットワーク資源の価格情報を取得する手段と、
この取得する手段により取得した価格情報と前記バイヤーが運用中の当該未使用ネットワーク資源に相応する既使用ネットワーク資源の価格情報とを比較する手段と、
この比較する手段の比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替える手段と
を備えた請求項１記載のネットワーク資源仲介装置。
【請求項９】
仲介情報データベースに、セラーが販売を所望するネットワーク資源に関する情報およびバイヤーが購入を所望するネットワーク資源の情報をそれぞれ登録するステップと、
検索する手段により、この登録内容を参照し前記セラーの販売条件と前記バイヤーの購入条件とが一致する案件を検索するステップと、
遠隔接断手段により、この検索するステップの検索結果に基づき前記セラーと前記バイヤーとの間で前記条件が一致した案件情報に基づき該当するネットワーク資源同士を接続または切断する接断手段を制御するステップと
を実行することを特徴とするネットワーク資源仲介方法。
【請求項１０】
認証サーバが、前記セラーまたは前記バイヤーの認証を行なうステップを実行する請求項９記載のネットワーク資源仲介方法。
【請求項１１】
ＷＥＢサーバが、前記セラーまたは前記バイヤーにネットワーク資源情報を提供するステップを実行する請求項９または１０記載のネットワーク資源仲介方法。
【請求項１２】
前記セラーの提供するネットワーク資源と前記バイヤーとの間に前記接断手段を配置するステップを実行する請求項９記載のネットワーク資源仲介方法。
【請求項１３】
前記セラーの提供する一つのネットワーク資源と前記バイヤーとの間に前記接断手段を配置するステップを実行し、
前記制御するステップは、前記接断手段により、前記セラーと前記バイヤーとの間の前記条件に基づき前記一つのネットワーク資源を時分割的に複数の前記バイヤーに接続するステップを実行する
請求項９記載のネットワーク資源仲介方法。
【請求項１４】
前記ＷＥＢサーバが、前記セラーの提供する一つのネットワーク資源に対する共同購入の利用可否情報を前記バイヤーに提供するステップを実行し、
前記仲介情報データベースが、前記バイヤーからの前記一つのネットワーク資源に対する共同利用の要求を登録するステップを実行し、
利用料を設定する手段が、当該要求に応じて一つの前記バイヤーに対する前記一つのネットワーク資源の利用料を設定するステップを実行する
請求項９記載のネットワーク資源仲介方法。
【請求項１５】
利用料を設定する手段により、前記登録するステップにより登録された前記セラーの提供するネットワーク資源をその構成要素毎に分類してこの構成要素毎にそれぞれ利用料を設定するステップと、
構成要素を組み合わせる手段により、前記バイヤーの所望するネットワーク資源の利用料の指値情報を取得しこの指値情報に見合った利用料となるように前記構成要素を組み合わせるステップと
を実行する請求項９記載のネットワーク資源仲介方法。
【請求項１６】
価格情報を取得する手段により、前記セラーの提供する未使用ネットワーク資源の価格情報を取得するステップと、
価格情報を比較する手段により、この取得するステップにより取得した価格情報と前記バイヤーが運用中の当該未使用ネットワーク資源に相応する既使用ネットワーク資源の価格情報とを比較するステップと、
切り替える手段により、この比較するステップの比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替えるステップと
を実行する請求項９記載のネットワーク資源仲介方法。
【請求項１７】
情報処理装置にインストールすることにより、その情報処理装置に、
仲介情報データベースに、セラーが販売を所望するネットワーク資源に関する情報およびバイヤーが購入を所望するネットワーク資源の情報をそれぞれ登録する機能と、
この登録内容を参照し前記セラーの販売条件と前記バイヤーの購入条件とが一致する案件を検索する機能と、
この検索する機能の検索結果に基づき前記セラーと前記バイヤーとの間で前記条件が一致した案件情報に基づき該当するネットワーク資源同士を接続または切断する接断手段を制御する機能と
を備えたネットワーク資源仲介装置に相応する機能を実現させることを特徴とするプログラム。
【請求項１８】
前記セラーの提供する一つのネットワーク資源が前記接断手段を介して前記バイヤーとあらかじめ接断自在に設置され、
前記制御する機能として、前記セラーと前記バイヤーとの間の前記条件に基づき前記一つのネットワーク資源を時分割的に複数の前記バイヤーに接続する機能を実現させる
請求項１７記載のプログラム。
【請求項１９】
ＷＥＢサーバにより、前記セラーの提供する一つのネットワーク資源に対する共同購入の利用可否情報が前記バイヤーに提供され、
これに応じて、前記バイヤーからの前記一つのネットワーク資源に対する共同購入の要求が登録され、
当該要求に応じて一つの前記バイヤーに対する前記一つのネットワーク資源の利用料を設定する機能を実現させる
請求項１７記載のプログラム。
【請求項２０】
登録された前記セラーの提供するネットワーク資源をその構成要素毎に分類してこの構成要素毎にそれぞれ利用料を設定する機能と、
前記バイヤーの所望するネットワーク資源の利用料の指値情報を取得しこの指値情報に見合った利用料となるように前記構成要素を組み合わせる機能と
を実現させる請求項１７記載のプログラム。
【請求項２１】
前記セラーの提供する未使用ネットワーク資源の価格情報を取得する機能と、
この取得する機能により取得した価格情報と前記バイヤーが運用中の当該未使用ネットワーク資源に相応する既使用ネットワーク資源の価格情報とを比較する機能と、
この比較する機能の比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替える機能と
を実現させる請求項１７記載のプログラム。
【発明の詳細な説明】
【技術分野】
【０００１】
本発明は、ネットワーク資源の取引に利用する。特に、ネットワーク上に仮想的にネットワーク資源の取引市場を構築する技術に関する。
【背景技術】
【０００２】
従来のネットワーク資源の調達方法は、多数の売り手（以下ではバイヤーという）と多数の買い手（以下ではセラーという）との間での相対交渉によるものであった。このために、（１）取引交渉する相手事業者数が多い場合には、その接続交渉には時間的限界から最適なる事業者を見つけることが困難となる、（２）相手事業者が異なれば取引条件も異なり、売買折衝に多大なる労力（および煩わしさ）と経験を必要とすることから資源流通が容易では無くなる、（３）接続ポイントは、その都度決定されるので、不特定箇所となり、その都度の接続工事に時間と経費を要する、といった課題があった。一方ではバイヤー側の要求としてプロビジョニング期間の短縮、短期間利用、経済的な回線調達などがあり、こうした課題の克服と市場ニーズを満たす仕組みの提供が切望されていた（例えば、特許文献１または２参照）。
【特許文献１】特開２００２−２７１３８７号公報
【特許文献２】特開２００２−２７１３８６号公報
【発明の開示】
【発明が解決しようとする課題】
【０００３】
従来のネットワーク資源の売買はセラーとバイヤーの相対交渉であり、（１）多数事業者の資源を利用したネットワークを構成する際に、回線構成策定、回線調達、回線設定に時間が掛かる問題、（２）そのネットワーク資源の接続工事では二ヶ月以上の時間を要することが多く、ネットワーク利用に当たって事前に余裕を持った時間が必要で、ネットワーク資源の利用効率が悪いといった問題、（３）ネットワーク資源を短期間だけ利用したいバイヤーは、ネットワーク資源提供事業者が定める約款等によって決められた期間（例えば1年間の契約）、ネットワーク資源を利用しなければならず、利用がほとんどない期間であってもその利用料を支払う必要があるといった問題、（４）ネットワーク資源をオープンな市場でネットワーク資源を共同利用する仕組みがないために、ネットワーク資源提供事業者が決める価格で、個々のバイヤーがそのセラーとの取引しかできないためバイヤーにとって回線の効率的な運用ができない問題、（５）バイヤーはネットワーク提供事業者と契約した利用形態でしか使用できず、契約したネットワークに余裕があっても、独自に他の用途（ビジネス等）へ活用できない問題があった。
【０００４】
本発明は、このような背景に行われたものであって、ネットワーク資源の選定が容易であり、契約までの時間を短縮でき、セラーの販売コストを削減でき、契約成立から回線利用までのプロビジョニング期間を大幅に短縮でき、ネットワーク資源の利用効率を大幅に向上できるネットワーク資源仲介装置および方法を提供することを目的とする。
【課題を解決するための手段】
【０００５】
本発明は、ネットワーク資源同士を接続する接続ポイント(以下、RX:Resource
Exchangeという)を用意し、バイヤーが、売りたいネットワーク資源の商材や提供区間や売値等の情報を、セラーが、買いたいネットワーク資源の商材や提供区間や買値等の情報を、それぞれが登録できる仲介市場装置を設け、双方の条件が一致した場合に、それぞれがネットワーク資源の取引前に、あらかじめネットワーク資源をＲＸへ接続しておくことによって、多数のネットワーク資源提供事業者間との交渉期間が短縮でき、取引成立後の事前工事期間も短縮できる。
【０００６】
このように本発明では、ネットワーク資源は、ＲＸの遠隔操作によって短期間のネットワーク資源利用を実現でき、複数のバイヤーが時間や帯域を分割して利用することによって、同じネットワーク資源を共同利用でき、複数のネットワーク資源を接続してバイヤーに最適なネットワークを提供することで、バイヤーとセラーへ新しいビジネスモデルを提供することを特徴とした、ネットワーク資源の仲介市場を介した取引法を実現することができる。
【０００７】
すなわち、本発明の第一の観点は、セラーのネットワーク資源同士を接続または切断する接断手段と、この接断手段を遠隔制御する遠隔制御手段と、前記セラーが販売を所望するネットワーク資源に関する情報およびバイヤーが購入を所望するネットワーク資源の情報をそれぞれ登録する仲介情報データベースと、この仲介情報データベースを参照し前記セラーの販売条件と前記バイヤーの購入条件とが一致する案件を検索する手段とを備え、前記遠隔制御手段は、前記検索する手段の検索結果に基づき前記セラーと前記バイヤーとの間で前記条件が一致した案件情報に基づき該当するネットワーク資源同士を前記接断手段により接続または切断する手段を備えたことを特徴とするネットワーク資源仲介装置である（請求項１）。
【０００８】
これにより、ネットワーク資源の仲介市場を仮想的に構築することができる。また、セラーとバイヤーとの間で契約が成立したときには、接断手段を制御することにより、速やかにバイヤー対してネットワーク資源を提供することができる。
【０００９】
また、前記セラーまたは前記バイヤーの認証を行なう手段を備えることができる（請求項２）。これにより、不正を行おうとするセラーあるいはバイヤーを識別し、仲介市場の公正性を保つことができる。
【００１０】
また、前記セラーまたは前記バイヤーにネットワーク資源情報を提供するＷＥＢサーバを備えることができる（請求項３）。これにより、セラーおよびバイヤーの利便性を向上させることができると共に、市場の活性化を図ることができる。
【００１１】
例えば、前記セラーの提供するネットワーク資源と前記バイヤーとの間に前記接断手段が設けられた構成とすることにより（請求項４）、セラーとバイヤーとの間で契約が成立したときには、単に、接断手段を接続状態に制御するだけで、速やかに、ネットワーク資源がバイヤーに提供される。
【００１２】
例えば、前記セラーの提供する一つのネットワーク資源と前記バイヤーとの間に前記接断手段が設けられ、前記遠隔制御手段は、前記接断手段により、前記セラーと前記バイヤーとの間の前記条件に基づき前記一つのネットワーク資源を時分割的に複数の前記バイヤーに接続または切断する手段を備えることにより（請求項５）、一つのネットワーク資源を複数のバイヤーが時分割的に利用することができる。これにより、ネットワーク資源を有効に利用することができる。
【００１３】
例えば、前記ＷＥＢサーバは、前記セラーの提供する一つのネットワーク資源に対する共同利用の可否情報を前記バイヤーに提供する手段を備え、前記仲介情報データベースは、前記バイヤーからの前記一つのネットワーク資源に対する共同利用の要求を登録する手段を備え、当該要求に応じて一つの前記バイヤーに対する前記一つのネットワーク資源の共同利用時の利用料を設定する手段を備えることにより（請求項６）、バイヤーはネットワーク資源を他のバイヤーと共同利用することができる。これにより、ネットワーク資源取引に多様性を持たせることができる。
【００１４】
例えば、前記仲介情報データベースに登録された前記セラーの提供するネットワーク資源をその構成要素毎に分類してこの構成要素毎にそれぞれ利用料を設定する手段と、前記バイヤーの所望するネットワーク資源の利用料の指値情報を取得しこの指値情報に見合った利用料となるように前記構成要素を組み合わせる手段とを備えることにより（請求項７）、バイヤーの指値に対して柔軟に対応することができるため、取引成立の確率を大幅に高めることができる。
【００１５】
例えば、前記セラーの提供する未使用ネットワーク資源の価格情報を取得する手段と、この取得する手段により取得した価格情報と前記バイヤーが運用中の当該未使用ネットワーク資源に相応する既使用ネットワーク資源の価格情報とを比較する手段と、この比較する手段の比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替える手段とを備えることにより（請求項８）、バイヤーは常に最も安価なネットワーク資源を利用することができる。
【００１６】
本発明の第二の観点は、仲介情報データベースに、セラーが販売を所望するネットワーク資源に関する情報およびバイヤーが購入を所望するネットワーク資源の情報をそれぞれ登録するステップと、検索する手段により、この登録内容を参照し前記セラーの販売条件と前記バイヤーの購入条件とが一致する案件を検索するステップと、遠隔接断手段により、この検索するステップの検索結果に基づき前記セラーと前記バイヤーとの間で前記条件が一致した案件情報に基づき該当するネットワーク資源同士を接続または切断する接断手段を制御するステップとを実行することを特徴とするネットワーク資源仲介方法である（請求項９）。
【００１７】
また、認証サーバが、前記セラーまたは前記バイヤーの認証を行なうステップを実行することができる（請求項１０）。
【００１８】
また、ＷＥＢサーバが、前記セラーまたは前記バイヤーにネットワーク資源情報を提供するステップを実行することができる（請求項１１）。
【００１９】
例えば、前記セラーの提供するネットワーク資源と前記バイヤーとの間に前記接断手段を配置するステップを実行する（請求項１２）。
【００２０】
例えば、前記セラーの提供する一つのネットワーク資源と前記バイヤーとの間に前記接断手段を配置するステップを実行し、前記制御するステップは、前記接断手段により、前記セラーと前記バイヤーとの間の前記条件に基づき前記一つのネットワーク資源を時分割的に複数の前記バイヤーに接続するステップを実行する（請求項１３）。
【００２１】
例えば、前記ＷＥＢサーバが、前記セラーの提供する一つのネットワーク資源に対する共同購入の利用可否情報を前記バイヤーに提供するステップを実行し、前記仲介情報データベースが、前記バイヤーからの前記一つのネットワーク資源に対する共同利用の要求を登録するステップを実行し、利用料を設定する手段が、当該要求に応じて一つの前記バイヤーに対する前記一つのネットワーク資源の利用料を設定するステップを実行する（請求項１４）。
【００２２】
例えば、利用料を設定する手段により、前記登録するステップにより登録された前記セラーの提供するネットワーク資源をその構成要素毎に分類してこの構成要素毎にそれぞれ利用料を設定するステップと、構成要素を組み合わせる手段により、前記バイヤーの所望するネットワーク資源の利用料の指値情報を取得しこの指値情報に見合った利用料となるように前記構成要素を組み合わせるステップとを実行する（請求項１５）。
【００２３】
例えば、価格情報を取得する手段により、前記セラーの提供する未使用ネットワーク資源の価格情報を取得するステップと、価格情報を比較する手段により、この取得するステップにより取得した価格情報と前記バイヤーが運用中の当該未使用ネットワーク資源に相応する既使用ネットワーク資源の価格情報とを比較するステップと、切り替える手段により、この比較するステップの比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替えるステップとを実行する（請求項１６）。
【００２４】
本発明の第三の観点は、情報処理装置にインストールすることにより、その情報処理装置に、仲介情報データベースに、セラーが販売を所望するネットワーク資源に関する情報およびバイヤーが購入を所望するネットワーク資源の情報をそれぞれ登録する機能と、この登録内容を参照し前記セラーの販売条件と前記バイヤーの購入条件とが一致する案件を検索する機能と、この検索する機能の検索結果に基づき前記セラーと前記バイヤーとの間で前記条件が一致した案件情報に基づき該当するネットワーク資源同士を接続または切断する接断手段を制御する機能とを備えたネットワーク資源仲介装置に相応する機能を実現させることを特徴とするプログラムである（請求項１７）。
【００２５】
例えば、前記セラーの提供する一つのネットワーク資源が前記接断手段を介して前記バイヤーとあらかじめ接断自在に設置され、前記制御する機能として、前記セラーと前記バイヤーとの間の前記条件に基づき前記一つのネットワーク資源を時分割的に複数の前記バイヤーに接続する機能を実現させる（請求項１８）。
【００２６】
例えば、ＷＥＢサーバにより、前記セラーの提供する一つのネットワーク資源に対する共同購入の利用可否情報が前記バイヤーに提供され、これに応じて、前記バイヤーからの前記一つのネットワーク資源に対する共同購入の要求が登録され、当該要求に応じて一つの前記バイヤーに対する前記一つのネットワーク資源の利用料を設定する機能を実現させる（請求項１９）。
【００２７】
例えば、登録された前記セラーの提供するネットワーク資源をその構成要素毎に分類してこの構成要素毎にそれぞれ利用料を設定する機能と、前記バイヤーの所望するネットワーク資源の利用料の指値情報を取得しこの指値情報に見合った利用料となるように前記構成要素を組み合わせる機能とを実現させる（請求項２０）。
【００２８】
例えば、前記セラーの提供する未使用ネットワーク資源の価格情報を取得する機能と、この取得する機能により取得した価格情報と前記バイヤーが運用中の当該未使用ネットワーク資源に相応する既使用ネットワーク資源の価格情報とを比較する機能と、この比較する機能の比較結果に基づき前記既使用ネットワーク資源に相応する前記未使用ネットワーク資源の価格が前記既使用ネットワーク資源の価格よりも安価であるときには前記既使用ネットワーク資源を前記未使用ネットワーク資源に切り替える機能とを実現させる（請求項２１）。
【００２９】
本発明のプログラムは記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３０】
これにより、汎用の情報処理装置を用いて、ネットワーク資源の選定が容易であり、契約までの時間を短縮でき、セラーの販売コストを削減でき、契約成立から回線利用までのプロビジョニング期間を大幅に短縮でき、ネットワーク資源の利用効率を大幅に向上できるネットワーク資源仲介装置を実現することができる。
【発明の効果】
【００３１】
第１の効果は、ネットワーク資源の選定が容易であり、契約までの時間を短縮できることにある。その理由は、多数のセラーのネットワーク資源情報がオープンな仲介取引市場に公開されているためである。
【００３２】
第２の効果は、セラーの販売コストを削減できることにある。その理由は、仲介取引市場を介して多数のバイヤーがネットワーク資源情報を参照でき、標準化した契約に基づいた交渉をするためである。
【００３３】
第３の効果は、契約成立から回線利用までのプロビジョニング期間を大幅に短縮できることにある。その理由は、売り手のネットワーク資源をあらかじめ接続ポイントであるＲＸに接続しておくこと、および遠隔により分散するＲＸを集中制御することによって同時に複数のネットワーク資源の接続を実行できるためである。
【００３４】
第４の効果は、ネットワーク資源の利用効率を大幅に向上できることにある。その理由は、プロビジョニング期間を大幅に短縮できるため、および利用予定にもとづいたＲＸの自動接続設定制御を可能とする仕組みを備えているためである。
【発明を実施するための最良の形態】
【００３５】
本発明実施例のネットワーク資源仲介装置の全体構成を図１を参照して説明する。図１は本実施例のネットワーク資源仲介装置の全体構成図である。
【００３６】
本実施例のネットワーク資源仲介装置は、セラー１０２のネットワーク資源同士を接続または切断するＲＸ１２１と、このＲＸ１２１を遠隔制御するＲＸ制御装置１２２、ＲＸ制御ＤＢ１２３、ＲＸ運用保守端末１２４と、セラー１０２が販売を所望するネットワーク資源に関する情報およびバイヤー１０３が購入を所望するネットワーク資源の情報をそれぞれ登録する仲介情報ＤＢ１１２と、この仲介情報ＤＢ１１２を参照しセラー１０２の販売条件とバイヤー１０３の購入条件とが一致する案件を検索するマッチング検索部１１８とを備え、ＲＸ制御装置１２２は、マッチング検索部１１８の検索結果に基づきセラー１０２とバイヤー１０３との間で前記条件が一致した案件情報に基づき該当するネットワーク資源同士をＲＸ１２１により接続または切断する手段を備えたことを特徴とする。
【００３７】
また、セラー１０２またはバイヤー１０３の認証を行なう認証サーバ１０５を備える。さらに、セラー１０２またはバイヤー１０３にネットワーク資源情報を提供するＷＥＢサーバ１１６を備える。
【００３８】
次に、本実施例のネットワーク資源仲介装置を用いたネットワーク資源取引における運用構成例を説明する。
【００３９】
図４はあらかじめバイヤーとセラー回線とがＲＸを介して接続された例を示す図である。図４に示すように、セラーの提供するネットワーク資源としてのセラー回線４３１、４３２、４３３、４３４とバイヤー４２１、４２２との間にＲＸ４１１、４１２が設けられ、これらのＲＸ４１１、４１２は、ＲＸ制御装置１２２を含むＲＸ制御部４０１により制御される。詳細は後述するが、これにより、プロビジョニング期間を大幅に短縮することができる。図１の主装置部１１０が図４の仲介取引事業者装置４００に相当する。
【００４０】
図５は一つのセラー回線が複数のバイヤーにＲＸを介して接続された例を示す図である。図５に示すように、セラー５０２の提供する一つのネットワーク資源としてのセラー回線５３１とバイヤー５１２、５１３、５１４、５２２、５２３、５２４との間にＲＸ５１１、５２１が設けられ、ＲＸ制御装置１２２を含む仲介事業者装置５０４は、ＲＸ５１１、５２１により、セラー５０２とバイヤー５０３との間の前記条件に基づきセラー回線５３１を時分割的に複数のバイヤー５１２〜５１４、５２２〜５２４に接続または切断する手段を備える。詳細は後述するが、これにより、一つのネットワーク資源を複数のバイヤーが共同で利用することができる。図１の主装置部１１０およびＲＸ制御装置１２２が図５の仲介取引市場提供装置５０１および仲介事業者装置５０４に相当する。
【００４１】
このように共同利用する場合には、共同利用する際の料金を複数のバイヤー間で設定する必要がある。図６は一つのネットワーク資源を共同利用する際の利用料金を設定するための構成を示す図である。ＷＥＢサーバ１１６は、セラー６１１、６１２、６１３の提供する一つのネットワーク資源に対する共同利用の可否情報をバイヤー６２１、６２２、６３１、６３２に提供する手段を備え、仲介情報ＤＢ１１２は、バイヤー６３１、６３２からの前記一つのネットワーク資源に対する共同利用の要求を登録する手段を備え、当該要求に応じて一つの前記バイヤーに対する前記一つのネットワーク資源の共同利用時の利用料を設定する手段を備える。この利用料を設定する手段は、マッチング検索部１１８に備えることができる。図１の主装置部１１０が図６の仲介取引市場提供装置６０１に相当する。
【００４２】
図７はＶＮＯ(Virtual Network Operator)を備えた構成を示す図である。図７の構成は、仲介情報ＤＢ１１２に登録されたセラー７１１〜７１４の提供するネットワーク資源７２１〜７２３、７３１〜７３３、７４１〜７４３、７５１をその構成要素毎に分類してこの構成要素毎にそれぞれ利用料を設定する手段と、バイヤー７０１の所望するネットワーク資源の利用料の指値情報を取得しこの指値情報に見合った利用料となるように前記構成要素を組み合わせる手段とを備えたＶＮＯ７０２を備える。このＶＮＯ７０２は、マッチング検索部１１８に備えることができる。詳細は後述するが、これにより、バイヤー７０１の多様な要求に応えることができる。図１の主装置部１１０が図７のＶＮＯ７０２および仲介取引市場提供装置７０３に相当する。
【００４３】
図８は運用信託事業者装置８１０を備えた構成を示す図である。図８の構成は、セラーの提供する未使用ネットワーク資源としてのセラー回線（例えば、（♯１）８４１とする）の価格情報を取得する手段と、この取得する手段により取得した価格情報とバイヤー８３１および８３２が運用中の当該未使用ネットワーク資源に相応する既使用ネットワーク資源としてのセラー回線（例えば、（♯３）８４３とする）の価格情報とを比較する手段と、この比較する手段の比較結果に基づき前記既使用ネットワーク資源（セラー回線（♯３）８４３）に相応する前記未使用ネットワーク資源（セラー回線（♯１）８４１）の価格が前記既使用ネットワーク資源（セラー回線（♯３）８４３）の価格よりも安価であるときには前記既使用ネットワーク資源（セラー回線（♯３）８４３）を前記未使用ネットワーク資源（セラー回線（♯１）８４１）に切り替える手段とを運用信託事業者装置８１０に備える。
【００４４】
図１のマッチング検索部１１８に図８の運用信託事業者装置８１０に相当する機能を備えることができる。また、図１の主装置部１１０およびＲＸ制御装置１２２がＲＸ制御部８０１を含む仲介取引事業者装置８００に相当する。詳細は後述するが、これにより、バイヤー８３１、８３２は、常に最も安価なセラー回線を利用することができる。
【００４５】
本実施例は、汎用の情報処理装置にインストールすることにより、その情報処理装置に本実施例のネットワーク資源仲介装置に相応する機能を実現させるプログラムとして実現することができる。このプログラムは、記録媒体に記録されて情報処理装置にインストールされ、あるいは通信回線を介して情報処理装置にインストールされることにより当該情報処理装置に、マッチング検索部１１８、ＲＸ制御装置１２２、アクセス制御装置１０４、認証サーバ１０５にそれぞれ相応する機能を実現させることができる。
【００４６】
以下では、本実施例をさらに詳細に説明する。
【００４７】
本実施例のネットワーク資源仲介装置の構成について図面を参照して詳細に説明する。図１に示すように、インターネット１０１を介して主装置部１１０へアクセスする多数のセラー１０２および多数のバイヤー１０３の認証を行なう認証サーバ１０５およびアクセス制御装置１０４と、ネットワーク資源情報の登録情報や会員情報、その他取引情報を有し、仲介取引の基盤を提供する主装置部１１０と、ネットワーク資源同士を接続する分散したＲＸ１２１と、分散したＲＸ１２１の遠隔制御および遠隔保守を行なうためのＲＸ運用保守端末１２４とＲＸ制御装置１２２とＲＸ制御ＤＢ１２３とを備え、さらに主装置部１１０は、会員情報を登録する会員情報ＤＢ１１１と、多数のセラーおよび多数のバイヤーのネットワーク資源の情報を登録する仲介情報ＤＢ１１２と、マッチングする案件情報を登録するマッチング情報ＤＢ１１３と、ネットワーク資源の接続済み情報や接続予約情報を登録する接続情報ＤＢ１１４と、ネットワークの利用状況から課金情報を登録する課金情報ＤＢ１１５と、多数のセラーおよび多数のバイヤーに仲介市場の資源情報を提供するＷＥＢサーバ１１６と、個々のＤＢを管理するデータ管理端末１１７と、仲介ＤＢ１１２の情報の条件検索を実行し、マッチングする案件を抽出するマッチング検索部１１８とを有する。
【００４８】
これらの手段はそれぞれ概略つぎのように動作する。インターネット１０１は、セラー１０２やバイヤー１０３が主装置部１１０へアクセスするために利用される。セラー１０２は、主装置部１１０に売りたいネットワーク資源の情報を登録する。バイヤー１０３は、主装置部１１０に買いたいネットワーク資源の情報を登録する。
【００４９】
アクセス制御装置１０４は、インターネット１０１経由の主装置部１１０へのアクセスをセラー１０２、バイヤー１０３だけのものに制限する。
【００５０】
認証サーバ１０５は、セラー１０２やバイヤー１０３をユーザ名、パスワードにより認証し、アクセス制御装置１０４にて主装置部１１０へのアクセスを可能とする。
【００５１】
主装置部１１０は、仲介取引の基盤を成すものであり、会員情報、資源情報などが登録されている。会員情報ＤＢ１１１は、与信調査によって信用が確認され、仲介取引市場の会員となったセラー１０２やバイヤー１０３の会社情報等を登録しておくＤＢであり、データ管理端末１１７より更新される。
【００５２】
仲介情報ＤＢ１１２は、セラー１０２の売りたいネットワーク資源情報、バイヤーの買いたいネットワーク資源情報を登録しておくＤＢであり、インターネット１０１を介してセラー１０２およびバイヤー１０３によって更新することができ、またデータ管理端末１１７より更新される。
【００５３】
マッチング情報ＤＢ１１３は、主装置部１１０内部のマッチング検索部１１８によって、仲介情報ＤＢ１１２の自動的に条件整合検索が実施された結果、双方の条件が整合し、契約の見込みのある案件を登録する、または、セラー１０２およびバイヤー１０３がＷＥＢサーバ１１６の情報から契約を希望する意志を示した案件を登録するＤＢであり、マッチング検索部１１８、ＷＥＢサーバ１１６の情報およびデータ管理端末１１７により更新される。
【００５４】
接続情報ＤＢ１１４は、ＲＸ１２１によって接続するネットワーク資源情報を登録するＤＢであり、マッチング情報ＤＢ１１３に登録された案件情報により、またデータ管理端末１１７によって更新される。
【００５５】
課金情報ＤＢ１１５は、マッチング情報ＤＢ１１３に登録された案件情報と接続情報ＤＢに登録された接続情報から各案件の課金情報を登録するＤＢであり、データ管理端末１１７によって更新される。
【００５６】
ＷＥＢサーバ１１６は、仲介情報ＤＢ１１２に登録されたネットワーク資源情報を元に取引き可能な資源情報をセラー１０２およびバイヤー１０３へ提供するサーバであり、提供内容は仲介情報ＤＢ１１２の登録情報更新、データ管理端末１１７による更新にて変更される。
【００５７】
データ管理端末１１７は、主装置部１１０内部の各ＤＢのデータの更新、ＷＥＢサーバ１１６の情報更新を行なうための端末である。
【００５８】
マッチング検索部１１８は、仲介情報ＤＢ１１３にある、売りたいネットワーク資源情報の条件と買いたいネットワーク資源情報の条件を検索し、一致するものまたは類似するものを検索し、一致するものについては、マッチング情報ＤＢ１１３へ契約見込み案件として登録を実行する。また同時にデータ管理端末１１７にその検索結果を通知する。
【００５９】
分散したＲＸ１２１は、売り手から提供されるネットワーク資源を接続するための接続点であり、全国に分散配置される。
【００６０】
ＲＸ制御装置１２２は、分散したＲＸ１２１を接続情報ＤＢ１１４の登録内容に基づいて、遠隔より接続制御を実行する装置であり、制御した結果をＲＸ制御ＤＢ１２３へ格納する。
【００６１】
ＲＸ制御ＤＢ１２３は、ＲＸ制御装置１２２の制御情報を格納するＤＢであり、何らかの障害でＲＸ１２１の接続設定の復旧が必要になった場合に格納された制御情報にてＲＸ１２１の接続を復旧させる。
【００６２】
ＲＸ運用保守端末１２４は、ＲＸ１２１を遠隔から運用保守するための端末であり、接続制御、障害監視などを行なう。
【００６３】
ＲＸ制御用ネットワーク１２５は、ＲＸ制御装置１２２による分散したＲＸ１２１に対する集中遠隔制御を可能にするための回線を提供する。
【００６４】
図１を参照して本実施例の動作について詳細に説明する。図１を参照すると、本実施例の構成では、インターネット１０１を介して主装置部１１０へアクセスする多数のセラー１０２および多数のバイヤー１０３の認証を行なう認証サーバ１０５およびアクセス制御装置１０４と、ネットワーク資源情報の登録情報や会員情報、その他取引情報を有し、仲介取引の基盤を提供する主装置部１１０と、ネットワーク資源同士を接続する分散したＲＸ１２１と、分散したＲＸ１２１の遠隔制御および遠隔保守を行なうためのＲＸ運用保守端末１２４とＲＸ制御装置１２２とＲＸ制御ＤＢ１２３とを備え、さらに主装置部１１０は、会員情報を登録する会員情報ＤＢ１１１と、多数のセラーおよび多数のバイヤーのネットワーク資源の情報を登録する仲介情報ＤＢ１１２と、マッチングする案件情報を登録するマッチング情報ＤＢ１１３と、ネットワーク資源の接続済み情報や接続予約情報を登録する接続情報ＤＢ１１４と、ネットワークの利用状況から課金情報を登録する課金情報ＤＢ１１５と、多数のセラーおよび多数のバイヤーに仲介市場の資源情報を提供するＷＥＢサーバ１１６と、個々のＤＢを管理するデータ管理端末１１７と、仲介情報ＤＢ１１２の情報の条件検索を実行し、マッチングする案件を抽出するマッチング検索部１１８を有する。
【００６５】
図１において、セラー１０２およびバイヤー１０３はネットワーク資源の仲介取引市場に参加するために、まず仲介取引市場の会員として登録しなければならない。登録は、セラー１０２およびバイヤー１０３が仲介取引市場を運営する仲介取引事業者へ申請し、仲介取引事業者は信用調査後、セラー１０２およびバイヤー１０３の情報を会員情報ＤＢ１１１に登録し、登録したセラー１０２およびバイヤー１０３に対し、主装置部１１０へのアクセスのための初期ユーザＩＤおよびパスワードを発行する。
【００６６】
セラー１０２およびバイヤー１０３はインターネット１０１を介して、主装置部１１０へアクセスすると、アクセス制御装置１０４は、このアクセスの許可判断のためにセラー１０２およびバイヤー１０３へユーザＩＤの入力を要求する。
【００６７】
セラー１０２およびバイヤー１０３は、仲介取引事業者から提供された初期ユーザＩＤとパスワードを入力し、アクセス制御装置１０４はこれらの情報を認証サーバ１０５へ問い合わせる。
【００６８】
認証サーバ１０５は、登録された情報よりこれらの情報が正しいか否かの判定を行い、その結果をアクセス制御装置１０４へ送り、正しい場合に限り、セラー１０２とバイヤー１０３の主装置部１１０へのアクセスを許可する。
【００６９】
主装置部１１０は、セラー１０２およびバイヤー１０３に対して、初回アクセス時には初期ユーザＩＤとパスワードの変更を要求し、再度システムへのログインを促す。こうして主装置部１１０へアクセスに成功したセラー１０２およびバイヤー１０３は、ＷＥＢサーバ１１６が提供する市場に上場されているネットワーク資源の情報を閲覧することが可能となる。
【００７０】
セラー１０２は売りたいネットワーク資源の種類、区間、料金等の情報をＷＥＢサーバ１１６に登録し、同様にバイヤー１０３は買いたいネットワーク資源の種類、区間、料金等の情報をＷＥＢサーバ１１６へ登録する。ＷＥＢサーバ１１６に登録されたネットワーク資源の情報は、主装置部１１０の内部処理にて仲介情報ＤＢ１１２へ登録されるとともに、同時にＷＥＢサーバ１１６にて提供される閲覧情報になる。
【００７１】
仲介情報ＤＢ１１２に登録された資源情報は、マッチング検索部１１８によって条件検索され、条件がある範囲で一致する案件を契約見込み案件としてマッチング情報ＤＢ１１３へ登録される。
【００７２】
また、ＷＥＢサーバ１１６が提供する情報から、セラー１０２およびバイヤー１０３が契約要求を出すことが可能であり、この契約要求によってもマッチング情報ＤＢ１１３への契約見込み案件の登録が行なわれる。
【００７３】
マッチング情報ＤＢ１１３に契約見込み案件として登録された案件は、ＷＥＢサーバ１１６にて提供される情報から削除されるとともに、仲介取引事業者より、その資源を売るセラー１０２およびその資源を買うバイヤー１０３へ通知され、案件毎に最終的な契約条件の確認が行なわれる。
【００７４】
このとき、一つのバイヤー１０２の案件を多数のセラー１０２の資源を組み合わせて実現するような場合には、一度の契約交渉にて全セラー１０２との条件確認が可能になる契約のテンプレートを仲介取引事業者が準備する。
【００７５】
契約成立後、案件ごとのネットワーク資源の接続情報が作成され、接続情報ＤＢ１１４へ登録される。この接続情報ＤＢ１１４に登録された接続情報には、どのセラーのネットワーク資源をいつから、どれだけの期間使用するのかといった情報も含まれる。
【００７６】
ＲＸ制御装置１２２は接続情報ＤＢ１１４の情報に基づいて、ＲＸ制御用の設定情報を生成し、ＲＸ制御ＤＢ１２３へ格納する。契約成立した案件で資源利用が開始される日時の以前に、資源の利用状況を確認後、ＲＸ運用保守端末１２４よりＲＸ制御装置１２２を介したＲＸ制御ＤＢの情報を使用し、分散配置されたＲＸ１２１に一括して接続設定が行なわれる。
【００７７】
なお、ＲＸ制御装置１２２へのスケジュール登録によって、ＲＸ運用保守端末１２４を介さず、自動的にＲＸ１２１への設定制御も可能とする。接続設定が成功するとこの状態がＲＸ制御ＤＢ１１２へ登録され、さらに主装置部１１０内の接続情報ＤＢ１１４へ登録される。接続情報ＤＢ１１４の情報をもとにバイヤー１０３によるネットワーク資源の利用が開始されるとこの案件は課金情報ＤＢ１１５にも登録され、課金が開始される。仲介取引事業者は課金情報ＤＢの情報により、セラー１０２に代わりバイヤー１０３へ回線利用料金の請求を代行する。
【００７８】
次に、図２を参照して本実施例の動作について補足説明する。図２（ａ）を参照すると、本実施例の構成では、セラーまたはバイヤー２０４と、セラーまたはバイヤー２０４の相互接続点であるＲＸ２０５と、各セラーまたはバイヤー２０４とＲＸ２０５を接続する接続経路２０２を含む。
【００７９】
図２（ｂ）に示すように、相対交渉で行なわれていた従来のネットワーク資源の取引きでは、セラーまたはバイヤー２０３はそれぞれの間で資源の接続経路２０１を持つ必要があり、交渉やプロビジョニングに係わる作業が煩雑で時間がかかるといった問題があった。
【００８０】
本発明では、オープンなネットワーク資源仲介取引市場において資源取引の交渉を実施することで交渉の時間短縮を実現し、さらにセラーおよびバイヤー２０４のネットワーク資源を相互接続する接続ポイントＲＸ２０５を用意することによって、各セラーおよびバイヤー２０４の接続経路２０２を簡略化するとともに、契約成立後にＲＸ２０５の設定にて、すぐにネットワーク資源を利用できるようになっている。
【００８１】
次に、図３のフローを参照して本実施例の動作について補足説明する。図３を参照すると、本実施例の構成では、セラーの作業項目または機能として、売却情報登録３０１、確認３０２、購入条件確認３０３、契約３０４、回線使用終了の確認３０５と、バイヤーの作業項目または機能として、購入情報登録３１１、検索３１２、購入条件確認３１３、契約３１４、接続通知３１５、運用（回線使用）３１６、回線利用の終了通知３１７と、仲介事業者の契約書、作業項目または機能として、ＭＴＡ契約書３２１、保守契約書３２２、取引情報受付３２３、仲介情報ＤＢ３３５の情報をセラーとバイヤーに提供する取引システム３２４、詳細調整打合せ３２５、契約３２６、接続完了通知発行３２７、接続情報を提供する取引システム３２８、接続完了処理３２９、料金精算３３０、明細発行３３１、ＲＸ接続構築３３２、ＲＸ接続解除３３３、会員情報を登録する会員情報ＤＢ３３４、売り商材と買い商材の情報を登録する仲介情報ＤＢ３３５、マッチング情報を登録するマッチング情報ＤＢ３３６、接続回線情報を登録する接続情報ＤＢ３３７、回線使用料などを登録する課金情報ＤＢ３３８、回線構成構築３３９、セラーまたはバイヤーからの保守依頼を受ける保守依頼受託３４０、保守条件確認３４１、開通通知３４２、保守開始３４３、試験／故障通知３４４、保守終了３４５と、委託会社として、会員の信用調査を実施する与信会社３５１、回線利用料の代行徴収などを行なうビリング会社３５２とを含む。
【００８２】
図３において、（１）セラーからの売り登録時に、商材、区間、アクセスポイント、回線品質、価格などを明示し、仲介事業者はそれらを調査し、仲介情報ＤＢ３３５に登録する。
【００８３】
（２）登録された情報は、会員情報ＤＢ３３４と連動して管理され、取引システム３２４を介して匿名で登録される。
【００８４】
（３）バイヤーは、買い注文時に、商材、区間、アクセスポイント、品質、価格などを明示し、仲介事業者は会員情報ＤＢ３３４の情報をもとに、仲介情報ＤＢ３３５に登録する。
【００８５】
（４）取引システム３２４と仲介情報ＤＢには、セラーとバイヤーのそれぞれの売り、買いの商材、区間、アクセスポイント、品質、価格などが、匿名で登録されており、会員はＷＥＢを介してこれらを閲覧することが出来る。また、取引システム３２４では、セラーとバイヤーの商材の条件が合致したものは、合致した内容を取引システムにより表示するとともに、マッチング情報ＤＢ３３６に登録し、セラー、バイヤーおよび仲介事業者へこれを通知する。
【００８６】
（５）セラーとバイヤーの商材の条件が取引システム３２４を介して合致した場合には、セラー、バイヤーおよび仲介事業者の間で詳細条件等の確認を行い、セラーとバイヤーの詳細な取引条件に合意することが必要である。
【００８７】
（６）セラーとバイヤーの合意が得られたら、仲介事業者を入れた３者間でＭＴＡ(Master
Trading Agreement)契約を結ぶとともに、保守契約を結ぶ。この時点で、回線使用料は先払いとして処理され、課金情報ＤＢ３３８に登録される。
【００８８】
（７）契約締結を条件に、マッチング情報ＤＢ３３６のステータスを更新し、ＲＸ制御装置により、当該ＲＸを制御し回線接続をおこなう。回線接続が終了した時点で、現在運用中の回線として、接続情報ＤＢ３３７に登録される。
【００８９】
（８）運用中に回線故障が発生した場合、仲介事業者、セラーがバイヤーへこれを通知するとともに、保守契約を受託した事業者（セラーまたは仲介事業者）がその回復にあたるとともに、接続情報ＤＢ３３７に故障情報が登録される。
【００９０】
（９）バイヤーの利用期間が終了すると、回線接続解除、保守契約解除をセラーとバイヤーへ通知し、トータルの課金情報が課金情報ＤＢ３３８に登録される。これには、故障等による利用できない期間の保証料の精算等も含む。セラーまたはバイヤーの要望により、課金情報ＤＢ３３８の情報に基づいて、課金明細を発行する。
【００９１】
次に、本実施例のネットワーク資源仲介装置を用いた実際のネットワーク資源取引の運用構成例について図面を参照して詳細に説明する。
【００９２】
（第一運用構成例）
第一運用構成例について図４を参照して詳細に説明する。図４を参照すると、第一運用構成例は、仮想的なネットワーク資源仲介取引市場を運営し、ＲＸ４１１およびＲＸ４１２を制御する仲介取引事業者装置４００と、ＲＸ４１１およびＲＸ４１２を制御するためのＲＸ制御部４０１と、各セラー回線（＃１）４３１〜（＃４）４３４とバイヤー回線との接続するＲＸ４１１およびＲＸ４１２と、仲介取引市場からネットワーク資源を調達するバイヤー４２１〜４２３と、仲介取引市場経由で提供されるＲＸ４１１およびＲＸ４１２に接続するセラー回線（＃１）４３１〜（＃４）４３４とを含む。
【００９３】
これらは概略以下のように動作する。セラー回線（＃１）４３１〜（＃４）４３４があらかじめＲＸ４１１およびＲＸ４１２に接続していることにより、仲介取引市場においてセラーとバイヤーの売り注文と買い注文のマッチングがとれたことを確認できた後、仲介取引事業者装置４００はＲＸ制御部４０１を介してＲＸ４１１とＲＸ４１２を制御し、該当するセラー回線をバイヤーへ接続する。例えば、バイヤー４２１とバイヤー４２２間の回線をセラー回線（＃１）４３１を用いて実現する場合には、マッチングの確認後、仲介取引事業者装置４００はＲＸ制御部４０１を介してＲＸ４１１にてバイヤー４２１とセラー回線（＃１）４３１とを接続し、同時にＲＸ４１２にてバイヤー４２２とセラー回線（＃１）４３１とを接続する。その結果、マッチング成立後、短い時間でバイヤー４２１とバイヤー４２２間の回線が使用可能となる。
【００９４】
次に、第一運用構成例の効果について説明する。第一運用構成例では、仲介取引事業者装置４００がＲＸ制御部４０１を通して、ＲＸ４１１とＲＸ４１２へあらかじめ接続されたセラー回線（＃１）４３１〜（＃４）４３４をバイヤー４２１〜４２３へ接続することができるように構成されているため、仲介取引市場におけるマッチング確認から回線利用までのプロビジョニング時間を大幅に短縮することができる。
【００９５】
（第二運用構成例）
次に、第二運用構成例について図５を参照して詳細に説明する。図５を参照すると、第二運用構成例は、ネットワーク資源の仲介取引市場提供装置５０１と、ネットワーク資源を市場へ提供するセラー５０２と、ネットワーク資源を市場から調達する多数のバイヤー５０３と、仲介取引市場を運営する仲介事業者装置５０４と、仲介事業者装置５０４によって切り替え設定されるＡ地区側のＲＸ５１１とＢ地区側ＲＸ５２１と、ＲＸ５１１に接続するＡ地区側バイヤー（＃１）５１２〜（♯３）５１４と、ＲＸ５２１に接続するＢ地区バイヤー（＃１）５２２〜（＃３）５２４と、ＲＸ５１１とＲＸ５２１に接続するセラー回線５３１を含む。
【００９６】
これらは概略以下のように動作する。セラー５０２が仲介取引市場提供装置５０１にＲＸ５１１およびＲＸ５２１間のセラー回線５３１の売り注文情報を送信する。この売り注文情報には、月額料金、日額料金、及び時間貸しの料金情報が含まれる。この料金は、セラー５０２側が決める。
【００９７】
仲介事業者装置５０４はセラー５０２からの情報に基づいてＷＥＢ上に売り注文を掲載する。掲載された売り注文には、短期間利用の可否についてのマーキングをしておき、このマークをクリックすることによって、回線の予約情報、短期間利用料金の等の詳細情報が表示される。多数のバイヤー５０３はＷＥＢの情報から利用したい期間及び時間を選択して、ＷＥＢ上で利用予約を申し込む。この時点で回線は仮押えの状態となる。
【００９８】
回線利用の例えば４８時間前までに利用確認が無い場合には、回線の仮押え状態はなくなる。また、４８時間前までに利用取り消しや変更の依頼が無ければ、バイヤーには利用料の支払い義務が発生する。回線利用に先立ち、バイヤーは回線利用料を支払い、この支払い確認がされた時点で仲介事業者装置５０４のサービス提供準備を完了する。
【００９９】
仲介事業者装置５０４は予約情報にもとづいてＲＸ間セラー回線５３１と、バイヤー回線の接続設定を行い、ＲＸ間の回線試験実施後にサービス開始をバイヤーに通知する。バイヤーは正しくサービスが提供されている旨を仲介事業者装置５０４へ連絡し、仲介事業者装置５０４がバイヤー側から受けた回線使用料をセラーに支払う。この際にセラーからの仲介市場利用の手数料は差し引きされる。
【０１００】
次に、第二運用構成例の効果について説明する。第二運用構成例では、多数のバイヤー５０３が一つのセラー回線５３１を予約して使用できるように仲介取引市場提供装置５０１で資源情報を提供し、さらにその予約情報に従って、仲介事業者装置５０４がＲＸ５１１とＲＸ５２１の接続設定制御を実行し、Ａ地区バイヤー（＃１）５１２〜（＃３）５１４とＢ地区バイヤー（＃１）５２２〜（＃３）５２４の間でセラー回線５３１を切り替えて使用できるように構成されているため、多数バイヤーによる回線の短期間利用を実現できる。
【０１０１】
（第三運用構成例）
次に、第三運用構成例について図６を参照して詳細に説明する。図６を参照すると、第三運用構成例は、ネットワーク資源の仲介取引市場提供装置６０１と、仲介取引市場提供装置６０１へネットワーク資源を提供するセラー６１１〜６１３と、仲介取引市場提供装置６０１を介してネットワーク資源を調達するバイヤー６２１〜６２２と、共同購入によって仲介取引市場提供装置６０１からネットワーク資源を調達するバイヤーである共同購入利用者（＃１）６３１〜（＃２）６３２を含む。
【０１０２】
これらは概略以下のように動作する。セラー６１１〜６１３は、共同購入可能な売り注文情報を仲介取引市場提供装置６０１に送信する。価格は共同購入利用者が１社であったときの最高価格（バイヤーからの最大リスク価格）共同購入の現在価格である。バイヤーは、仲介取引市場提供装置６０１の売り注文情報で共同購入可マークのある資源について、希望があれば買い注文情報を仲介取引市場提供装置６０１に送信する。売買注文が成立した時、セラー−仲介事業者−バイヤー間でＭＴＡに従い契約する。バイヤーが新規の買い注文の資源購入量を加えた共同購入量により共同購入の現在価格を再計算し仲介事業者提供装置６０１に通知する。仲介事業者提供装置６０１はバーチャルな共同購入利用者＃１および＃２に新料金を通知するとともに、その価格で料金代行徴収する。
【０１０３】
次に、第三運用構成例の効果について説明する。第三運用構成例では、仲介取引市場提供装置６０１においてネットワーク資源の情報の一部として共同購入の利用可否情報を提供できる仕組みと共同購入利用者ごとの回線利用料を共同購入利用者数によって変更する仕組みを備えているため、バーチャルな共同購入グループを形成し、そのグループ内で１利用者あたりの回線利用料を削減することができる。
【０１０４】
（第四運用構成例）
次に、第四運用構成例について図７を参照して詳細に説明する。図７を参照すると、第四運用構成例は、仲介取引市場提供装置７０３からネットワーク資源を調達したいバイヤー７０１と、バイヤー７０１の依頼を受けて仲介取引市場提供装置７０３から最適なネットワーク資源を調達する回線調達代行事業者（以下ＶＮＯ:Virtual Network Operator)７０２と、ネットワーク資源の仲介取引市場提供装置７０３と、仲介取引市場提供装置７０３へネットワーク資源を提供するセラー群７１０と、さらにセラー群７１０は、セラーＡ社７１１、セラーＢ社７１２、セラーＣ社７１３、セラーＤ社７１４とを含む。
【０１０５】
これらは概略以下のように動作する。ネットワーク資源を持たないＶＮＯ７０２はバイヤー７０１から受けたネットワーク要件を資源のレベルに分け、各資源について仲介取引市場提供装置７０３へ買い注文情報を送信する。セラー各社はこの買い注文情報に対して、バイヤー７０１が満足できる価格で応じる。
【０１０６】
ＶＮＯ７０２は各資源の最安値を選択し、これらを組み合わせることによって、バイヤー７０１が所望している最安値のネットワークを提供できる。この対価としてバイヤー７０１は、ＶＮＯ７０２と仲介取引市場提供装置７０３へ手数料を支払う。
【０１０７】
例えば、ｘ区間の最安値はセラーＣ社の回線ｘ利用料７４１、ｙ区間の最安値はセラーＢ社の回線ｙ利用料７３２、ｚ区間の最安値はセラーＤ社の回線ｚ利用料７５１であるとき、ＶＮＯ７０２はこれらを組み合わせてバイヤー７０１へ提供する。
【０１０８】
次に、第四運用構成例の効果について説明する。第四運用構成例では、仲介取引市場提供装置７０３において、ＶＮＯ７０２がバイヤー７０１から受けたネットワーク要件を資源のレベルに分け、各資源について仲介取引市場提供装置７０３へ買い注文を出し、さらにＶＮＯ７０２がセラー各社の最安値の回線を組み合わせてバイヤー７０１へ提供できる仕組みが提供されているため、多数セラーのネットワーク資源を組み合わせた最適なネットワークを利用できる。
【０１０９】
（第五運用構成例）
次に、第五運用構成例について図８を参照して詳細に説明する。図８を参照すると、第五運用構成例は、ネットワーク資源の仲介取引市場を運営する仲介取引事業者装置８００と、仲介取引事業者装置８００がネットワーク資源同士の接続ポイントであるＲＸ８２１〜８２２の切り替え制御を行なうＲＸ制御部８０１と、ネットワーク資源同士の接続ポイントであるＲＸ８２１〜８２２と、ＲＸと接続するバイヤー８３１〜８３２と、ＲＸ８２１とＲＸ８２２に接続し仲介取引市場にて取引されるセラー回線（＃１）８４１〜（＃３）８４３と、バイヤーからバイヤー間のエンドツウエンドの回線調達と運用を委託された運用信託事業者装置８１０を含む。
【０１１０】
これらは概略以下のように動作する。バイヤー８３１〜８３２がネットワークシステムの構築と運用を運用信託事業者装置８１０に依頼する。運用信託事業者装置８１０は仲介取引事業者装置８００のオープンな市場経由でネットワーク資源を調達し、バイヤーに初期のネットワークコストについて確認し、これを確定する。ネットワーク運用中、運用信託事業者装置８１０は仲介取引事業者装置８００の市場情報（価格情報）を継続分析する。
【０１１１】
分析により、品質条件等の制約条件の下で、初期のルートより経済的なルートの売り注文が見つかった場合には、仲介取引事業者装置８００に該当資源の買い注文情報と、その結果不要となる資源の売り注文情報を送信する。
【０１１２】
該当する運用信託事業者装置８１０の売買注文が成立したとき仲介取引事業者装置８００はＲＸ制御部８０１を介して該当資源の切替え設定を実行する。運用信託事業者装置８１０は初期ルートより低コストとなった運用益分を事前の契約に基づいてバイヤーと運用信託事業者とで分割する。
【０１１３】
次に、第五運用構成例の効果について説明する。第五運用構成例では、バイヤーから回線調達と運用を委託された運用信託事業者装置８１０が仲介取引市場から自由に経済的な回線調達を実施できるようになるため、より経済的な回線への乗り換えによって運用益を手に入れることができる。
【産業上の利用可能性】
【０１１４】
本発明によれば、ネットワークコストの削減、サービスエリアの拡大、短期間利用といった市場ニーズの下でネットワーク資源の取引を実施するといった用途に適用できる。これにより、ネットワーク資源の有効利用を促進することができると共に、ネットワーク資源取引市場を活性化することができる。
【図面の簡単な説明】
【０１１５】
【図１】本実施例のネットワーク資源仲介装置の全体構成図。
【図２】本実施例のＲＸ接続による仲介取引時の相互接続状態と従来の相対交渉時の相互接続状態とを比較するための図。
【図３】本実施例のネットワーク資源仲介装置の基本ビジネスプロセスを示す図。
【図４】第一運用構成例を説明するための図。
【図５】第二運用構成例を説明するための図。
【図６】第三運用構成例を説明するための図。
【図７】第四運用構成例を説明するための図。
【図８】第五運用構成例を説明するための図。
【符号の説明】
【０１１６】
１０１  インターネット
１０２、５０２、６１１〜６１３  セラー
１０３、４２１〜４２３、５０３、５１２〜５１４、５２２〜５２４、６２１、６２２、７０１、８３１、８３２  バイヤー
１０４  アクセス制御装置
１０５  認証サーバ
１１０  主装置部
１１１、３３４  会員情報ＤＢ
１１２、３３５  仲介情報ＤＢ
１１３、３３６  マッチング情報ＤＢ
１１４、３３７  接続情報ＤＢ
１１５、３３８  課金情報ＤＢ
１１６  ＷＥＢサーバ
１１７  データ管理端末
１１８  マッチング検索部
１２１  ＲＸ
１２２  ＲＸ制御装置
１２３  ＲＸ制御ＤＢ
１２４  ＲＸ運用保守端末
１２５  ＲＸ制御用ネットワーク
２０１、２０２  接続経路
２０３、２０４  セラーまたはバイヤー
２０５  相互接続点
３０１  売却情報登録
３０２  確認
３０３  購入条件確認
３０４、３１４、３２６  契約
３０５  回線使用終了の確認
３１１  購入情報登録
３１２  検索
３１３  購入条件確認
３１５  接続通知
３１６  運用（回線使用）
３１７  回線利用の終了通知
３２１  ＭＴＡ契約書
３２２  保守契約書
３２３  取引情報受付
３２４  取引システム
３２５  詳細調整打合せ
３２７  接続完了通知発行
３２８  接続情報を提供する取引システム
３２９  接続完了処理
３３０  料金精算
３３１  明細発行
３３２  ＲＸ接続構築
３３３  ＲＸ接続解除
３３９  回線構成構築
３４０  保守依頼受託
３４１  保守条件確認
３４２  開通通知
３４３  保守開始
３４４  試験／故障通知
３４５  保守終了
３５１  与信会社
３５２  ビリング会社
４００、８００  仲介取引事業者装置
４０１  ＲＸ制御部
４１１、４１２  ＲＸ
４３１〜４３４  セラー回線
５０１、６０１、７０３  仲介取引市場提供装置
５０４  仲介事業者装置
５１１、５２１  ＲＸ
５３１  セラー回線
６３１、６３２  共同購入利用者（バイヤー）
７０２  ＶＮＯ
７１０  セラー群
７１１〜７１４  セラーＡ社〜Ｄ社
７２１〜７２３、７３１〜７３３、７４１〜７４３、７５１、７６１  ネットワーク資源（回線）
８０１  ＲＸ制御部
８１０  運用信託事業者装置
８２１、８２２  ＲＸ
８４１〜８４３  セラー回線
【図１】
2005293062.tif 000003
【図２】
2005293062.tif 000004
【図３】
2005293062.tif 000005
【図４】
2005293062.tif 000006
【図５】
2005293062.tif 000007
【図６】
2005293062.tif 000008
【図７】
2005293062.tif 000009
【図８】
2005293062.tif 000010